(57)【要約】【課題】  積層剥離ボトルにおいて、軸対称に位置して内層の潰れ変形形態を規制する両規制機能部の少なくとも一方を、内層に対して挟持保持力を発揮するものとすることにより、潰れ現象の進行に関わりなく、最後まで内容物の安定した注出動作を得ることができるようにすることを目的とする。【解決手段】  積層剥離ボトルにおいて、胴部４に軸対称に配置され、内層３を外層２に対して離脱不能に保持する規制機能部５の少なくとも一方を、縦溝部７の溝壁である挟持壁６で内層３の一部を挟持する構成とすることにより、規制機能部５による内層３の一部の挟持を確実で強固なものとし、これにより内層３を規則的に扁平潰れ変形させて、内容物の通路を確保し易くする。【選択図】図３
2014091530.tif 000002
【特許請求の範囲】
【請求項１】
外殻を形成する外層（２）と、内容物を収容する潰れ減容変形自在な内層（３）とを、剥離可能に積層した、有底筒状の胴部（４）の上端に肩部を介して口筒部（９）を連設したボトル本体（１）と、該ボトル本体（１）の胴部（４）に巻き締め状に外装される外装体（１１）とから構成され、前記胴部（４）の中心軸に対して軸対称位置に、前記内層（３）の外層（２）からの離脱を規制する規制機能部（５）を、前記胴部（４）の略全高さ範囲に亘って設け、少なくとも一方の前記規制機能部（５）を、隣接した複数の縦溝部（７）で構成し、該縦溝部（７）の溝幅を減少させる押し潰し変形により、前記縦溝部（７）の溝壁である挟持壁（６）で内層（３）を挟持するものとし、前記外装体（１１）を、前記胴部（４）に対する巻き締めにより、前記縦溝部（７）に対して押し潰し力を作用させるものとしたことを特徴とするブロー成形容器。
【請求項２】
軸対称に位置した両規制機能部（５）を、隣接した複数の縦溝部（７）で構成した請求項１に記載のブロー成形容器。
【請求項３】
軸対称に位置した両規制機能部（５）の一方を、隣接した複数の縦溝部（７）で構成し、他方を、ボトル本体（１）の全高さ範囲に亘って設けられて、外層（２）と内層（３）を接着固定する、細い縦帯状の接着層（８）で構成した請求項１に記載のブロー成形容器。
【請求項４】
規制機能部（５）を、二つの縦溝部（７）を並列に隣接させて構成した請求項１〜３のいずれか１項に記載のブロー成形容器。
【請求項５】
規制機能部（５）を構成する縦溝部（７）を、Ｖ字状溝構造とした請求項１〜４のいずれか１項に記載のブロー成形容器。
【請求項６】
外装体（１１）を、シュリンクラベルとした請求項１〜５のいずれか１項に記載のブロー成形容器。
【請求項７】
外殻を形成する外層（２）と、内容物を収容する潰れ減容変形自在な内層（３）とを、剥離可能に積層した、有底筒状の胴部（４）の上端に肩部を介して口筒部（９）を連設してボトル本体（１）を構成し、該ボトル本体（１）の胴部（４）の中心軸に対して軸対称位置に、前記内層（３）の外層（２）からの離脱を規制する規制機能部（５）を、前記胴部（４）の略全高さ範囲に亘って設け、少なくとも一方の前記規制機能部（５）を、隣接した複数の縦溝部（７）で構成し、前記規制機能部（５）の縦溝部（７）を押し潰し変形させて、前記内層（３）を挟持した状態で、前記内層（３）を潰れ変形させて外層（２）から剥離させる剥離処理を行なってから、潰れ変形した内層（３）を膨らませて潰れ変形からの戻し処理を行なうことを特徴とする内層の処理方法。
【発明の詳細な説明】
【技術分野】
【０００１】
本発明は、外殻を形成する外層内に、内容物を収容する潰れ減容変形自在な内層を、剥離可能に積層し、外気を吸引することなく、内容物の注出使用を可能とした、積層剥離ボトルであるブロー成形容器の構造、およびこの積層剥離ボトルの内層を、予め外層から剥離させておく内層の処理方法に関するものである。
【背景技術】
【０００２】
積層剥離ボトルにあっては、内容物の注出使用に従って、内層が、外層から離れて潰れ変形する潰れ現象が発生するが、この潰れ現象は、内容物の重量の関係から、内層の上側から下に向かって進行する。
【０００３】
内層における潰れ現象は、内層の大気圧による、単純な潰れ変形であるので、その潰れ変形形態を予測することはできず、全横幅範囲に亘って略密着状態で潰れ変形する内層部分が増えることにより、内容物の注出が行い難くなる、と云う不都合が発生する。
【０００４】
この不都合を解消する手段として、積層剥離ボトルの全高さ範囲に亘って、外層と内層とを接着結合する、細い縦帯状の一つの接着層を設け、この接着層により内層の一部を外層に接着固定して、内層の潰れ変形形態を規制し、この規制により、内層部分の略密着状態での潰れ変形が起り難くし、内容物の注出が行い難くなるのを防止するようにしたものがある。
【０００５】
このものは、確かに内層部分の略密着状態での潰れ変形を起り難くすることができるのであるが、一つの接着層による内層に対する変形規制が必ずしも充分ではないので、潰れ現象が進行すると、不規則に潰れ変形する箇所が多くなり、このため注出不良が発生すると云う新たな不都合があった。
【０００６】
この不都合を解消する従来技術として、外層と内層の何れか一方又は両方に層面形状が局部的に変化する形状変化部を設けることにより難剥離部を形成し、この難剥離部を、中心軸に対して軸対称に設けて積層剥離ボトルを構成した技術がある。
【特許文献１】特開平０８−１９８２３３号公報
【０００７】
この従来技術は、一対の軸対称に配置された難剥離部が接着層的に働き、これにより内層の潰れ変形形態を、ほぼ一定に規制することを可能とし、内容物の注出不良の発生をなくすものとなっている。
【発明の概要】
【発明が解決しようとする課題】
【０００８】
しかしながら、上記した従来技術にあっては、難剥離部の、他の部分に比べた剥離のし難さは、決して大きいものではなく、内容物の波打ち程度の外力の作用により、容易に剥離してしまい、内層に対する安定した変形形態規制作用を発揮することができない、と云う問題があった。
【０００９】
また、積層剥離ボトルに対する内容物の注入充填処理に先立って、内層に円滑で適正な潰れ現象を得るため、予め内層を外層から剥離させておくのが一般であるが、上記した従来技術にあっては、この内層の外層からの剥離処理により、難剥離部も容易に剥離してしまい、以後の適正な潰れ現象を得ることが難しくなる、と云う問題があった。
【００１０】
そこで、本発明は、上記した従来技術における問題点を解消すべく創案されたもので、軸対称に位置して内層の潰れ変形形態を規制する両規制機能部の少なくとも一方を、内層に対して挟持保持力を発揮するものとすることを技術的課題とし、もって潰れ現象の進行に関わりなく、最後まで内容物の安定した注出動作を得ることができるようにすることを目的とする。
【課題を解決するための手段】
【００１１】
上記技術的課題を解決する本発明の第１の手段の主たる構成は、
外殻を形成する外層と、内容物を収容する潰れ減容変形自在な内層とを、剥離可能に積層した、有底筒状の胴部の上端に肩部を介して口筒部を連設したボトル本体と、このボトル本体の胴部に巻き締め状に外装される外装体とから構成されること、
ボトル本体の胴部の中心軸に対して軸対称位置に、内層の外層からの離脱を規制する規制機能部を、胴部の略全高さ範囲に亘って設けること、
軸対称に設けられた規制機能部の内、少なくとも一方の規制機能部を、隣接した複数の縦溝部で構成し、この縦溝部の溝幅を減少させる押し潰し変形により、縦溝部の溝壁である挟持壁で内層を挟持するものとすること、
外装体を、ボトル本体の胴部に対する巻き締めにより、ボトル本体の縦溝部に対して押し潰し力を作用させるものとしたこと、
にある。
【００１２】
少なくともボトル本体の胴部における内層は、両規制機能部により外層からの離脱が規制されているので、両規制機能部により両側部を不動に保持された状態で行われる。すなわち、内層は、両規制機能部を不動部分としているので、基本的には、両規制機能部で保持された部分を不動箇所として、両横方向から押し潰される形態で潰れ変形することになる。
【００１３】
このように、内層の潰れ変形の基本的な方向性を規制することにより、内層の潰れ変形が規則性を持って進行し、これにより内容物の通路が確実に確保されて、最後まで内容物の安定して良好な注出動作を得ることができる。
【００１４】
また、少なくとも一方の規制機能部は、押し潰し変形した縦溝部の溝壁である挟持壁で、内層の一部を挟持するものであるので、この規制機能部における外層による内層の離脱阻止力を強力なものとすることができる。
【００１５】
外装体は、ボトル本体の胴部に対する巻き締め力を、規制機能部の縦溝部に対する押し潰し力として常に作用させるので、挟持壁による挟持力を内層に対して常に作用させていることになる。
【００１６】
本発明の第１の手段の別の構成は、上記した主たる構成における軸対称に位置した両規制機能部を、隣接した複数の縦溝部で構成した、ものである。
【００１７】
両規制機能部を、隣接した複数の縦溝部で構成したものにあっては、両規制機能部を、ブロー成形処理で成形することのできる縦溝部で構成することができるので、ブロー金型に縦溝部成形用の成形型面を形成するだけで、通常のブロー成形により規制機能部を成形することができる。
【００１８】
また、本発明の第１の手段の別の構成は、上記した主たる構成における軸対称に位置した両規制機能部の一方を、隣接した複数の縦溝部で構成し、他方を、ボトル本体の全高さ範囲に亘って設けられて、外層と内層を接着固定する、細い縦帯状の接着層で構成した、ものである。
【００１９】
両規制機能部の一方を複数の縦溝部で構成し、他方を接着層で構成したものにあっては、外装体からの押し潰し変形力を、縦溝部で構成した一方の規制機能部に集中させて作用させることができるので、その押し潰し変形力は強力なものとなる。
【００２０】
また、本発明の第１の手段の別の構成は、上記した主たる構成における規制機能部を、二つの縦溝部を並列に隣接させて構成した、ものである。
【００２１】
規制機能部を、二つの縦溝部で構成したものにあっては、複数の縦溝部で構成される規制機能部の構造を最も単純なものとすることができる。
【００２２】
また、本発明の第１の手段の別の構成は、上記した主たる構成における規制機能部を構成する縦溝部を、Ｖ字状溝構造とした、ものである。
【００２３】
機能部を構成する縦溝部を、Ｖ字状溝構造としたものにあっては、複数の縦溝が隣接して連設されることにより、規制機能部の周方向に沿った壁構造が蛇腹状となり、これにより押し潰し変形し易いものとなる。
【００２４】
また、本発明の第１の手段の別の構成は、上記した主たる構成における外装体を、シュリンクラベルとした、ものである。
【００２５】
外装体を、シュリンクラベルとしたものにあっては、胴部に外装されたシュリンクラベルの強力な巻き締め力を、そのまま規制機能部の縦溝部に対する押し潰し変形力として作用させることができる。
【００２６】
上記技術的課題を解決する本発明の第２の手段の主たる構成は、
外殻を形成する外層と、内容物を収容する潰れ減容変形自在な内層とを、剥離可能に積層した、有底筒状の胴部の上端に肩部を介して口筒部を連設してボトル本体を構成し、このボトル本体の胴部の中心軸に対して軸対称位置に、内層の外層からの離脱を規制する規制機能部を、胴部の略全高さ範囲に亘って設け、少なくとも一方の規制機能部を、隣接した複数の縦溝部で構成すること、
規制機能部の縦溝部を押し潰し変形させて、内層を挟持した状態で、内層を潰れ変形させて外層から剥離させる剥離処理を行なってから、潰れ変形した内層を膨らませて潰れ変形からの戻し処理を行なうこと、
にある。
【００２７】
規制機能部の縦溝部を押し潰し変形させて、内層を挟持した状態では、内層は規制機能部から離脱することができず、このため内層の外層からの剥離処理は、規制機能部に保持された内層部分を不動箇所として、両横方向から潰れる形態で進行することになる。それゆえ、潰れ変形により剥離処理の完了した内層の潰れ変形は、縦方向の縮小変形を規制された、略両側方向からの潰れ変形の制限されたものとなる。
【００２８】
このため、潰れ変形した内層を膨らませて行われる戻し処理は、内層を、規制機能部に保持された内層部分を不動箇所として、略両側方向に膨らませる単純な変形形態となる。
【発明の効果】
【００２９】
本発明は、上記した構成となっているので、以下に示す効果を奏する。
本発明の第１の手段にあっては、内層の潰れ変形の基本的な方向性が規制されて、内層の潰れ変形が規則性を持って進行し、これにより内容物の注出通路が確保し易くなるので、最後まで内容物の円滑で良好な注出動作をえることができる。
【００３０】
また、少なくとも一方の規制機能部は、挟持壁で内層の一部を挟持するものであるので、この規制機能部における外層による内層の離脱阻止力を強力なものとすることができ、これにより内容物の注出通路の確保が安定する。
【００３１】
さらに、外装体は、ボトル本体の胴部に対する巻き締め力を、規制機能部の縦溝部に対する押し潰し力として常に作用させるので、挟持壁による挟持力を内層に対して常に作用させていることになり、これにより挟持壁による内層の離脱不能な挟持固定を安定して維持することができる。
【００３２】
両規制機能部を、隣接した複数の縦溝部で構成したものにあっては、通常のブロー成形により規制機能部を成形することができ、これによりボトル本体に対する両規制機能部の付形が容易となる。
【００３３】
両規制機能部の一方を複数の縦溝部で構成し、他方を接着層で構成したものにあっては、外装体からの押し潰し変形力を、縦溝部で構成した一方の規制機能部に集中させて作用させることができるので、その押し潰し変形力は強力なものとすることができ、これにより規制機能部により内層に対して、安定して強力な挟持力を作用させることができる。
【００３４】
規制機能部を、二つの縦溝部で構成したものにあっては、複数の縦溝部で構成される規制機能部の構造を最も単純なものとすることができるので、ブロー成形金型の構成を簡単なものとすることができる。
【００３５】
機能部を構成する縦溝部を、Ｖ字状溝構造としたものにあっては、規制機能部の周方向に沿った壁構造が蛇腹状となり、これにより潰れ変形し易いものとなるので、縦溝部に作用する押し潰し力を、無駄なく内層の挟持力として機能させることができる。
【００３６】
外装体を、シュリンクラベルとしたものにあっては、胴部に外装されたシュリンクラベルの強力な巻き締め力を、そのまま規制機能部の縦溝部に対する押し潰し変形力として作用させることができるので、縦溝部による内層に対する挟持力を充分に強力なものとすることができる。
【００３７】
本発明の第２の手段にあっては、潰れ変形により剥離処理の完了した内層の潰れ変形は、縦方向の縮小変形を規制された、略両側方向からの潰れ変形の制限されたものとなると共に、潰れ変形した内層を膨らませて行われる戻し処理は、略両側方向に膨らませる単純な変形形態となるので、剥離処理および戻し処理の途中で、内層が規制機能部から離脱する不都合の発生を、確実に防止することができ、これにより安定して剥離処理および戻し処理を得ることができる。
【図面の簡単な説明】
【００３８】
【図１】本発明の一実施形態例を示す、一部破断全体側面部である。
【図２】図１中、Ａ−Ａ線に沿って切断矢視した平断面図で、（ａ）は第１実施例、（ｂ）は第２実施例である。
【図３】図２中の丸印した部分の拡大図で、（ａ）は丸印Ｂ部分、（ｂ）は丸印Ｃ部分の拡大図である。
【図４】図１に示したボトル本体の、挟持状態前の全体側面図である。
【図５】図４中、Ｄ−Ｄ線に沿って切断矢視した平断面図で、（ａ）は第１実施例、（ｂ）は第２実施例である。
【図６】図５中の丸印した部分の拡大図で、（ａ）は丸印Ｅ部分、（ｂ）は丸印Ｆ部分の拡大図である。
【図７】図１に示したボトル本体の、挟持状態後の全体側面図である。
【図８】図７中、Ｇ−Ｇ線に沿って切断矢視した平断面図で、（ａ）は第１実施例、（ｂ）は第２実施例である。
【発明を実施するための形態】
【００３９】
以下、本発明の実施形態を、図面を参照しながら説明する。
【００４０】
本発明の積層剥離ボトルであるブロー成形容器は、外殻を形成する外層２と、内容物を収容する潰れ減容変形自在な内層３とを、剥離可能に積層して構成され、有底円筒状の胴部４の上端に、上方に縮径した肩部を介して口筒部９を連設したボトル本体１と、このボトル本体１の胴部４に巻き締め状に外装される外装体１１とから構成されている。
【００４１】
ボトル本体１の胴部４には、中心軸に対して軸対称に規制機能部５を設けており、この規制機能部５は、少なくとも胴部４の略全高さ範囲に亘って設け（図４および図７参照）られており、この規制機能部５における内層３の外層２からの離脱を規制している。
【００４２】
規制機能部５は、隣接した複数（図示の場合、二つ）のＶ字状溝構造となった縦溝部７で構成された構造例（図３（ａ）および図６（ａ）参照）と、ボトル本体１の全高さ範囲に亘って外層２と内層３を接着固定する、細い縦帯状の接着層８で構成された構造例（図３（ｂ）および図６（ｂ）参照）を有しており、両規制機能部５を隣接した複数の縦溝部７で構成した構造例とした第１実施例（図２（ａ）、図５（ａ）参照）と、一方の規制機能部５を隣接した複数の縦溝部７で構成し、他方の規制機能部５を接着層８で構成した構造例とした第２実施例（図２（ｂ），図５（ｂ）参照）とがある。
【００４３】
隣接した複数の縦溝部７で構成された規制機能部５の場合、ボトル本体１の成形時には、図５（ａ）および図６（ａ）に示すように、縦溝部７は、周方向に沿って蛇腹状の壁構造を構成し、隣接した縦溝部７の溝壁である一対の挟持壁６が、内方に開いた状態となっている。この状態から規制機能部５に対して、縦溝部７の溝幅を減少させる押し潰し力を作用させると、図２（ａ）および図３（ａ）に示すように、縦溝部７が押し潰されて一対の挟持壁６により、間に位置している内層３部分が強固に挟持され、これにより規制機能部５からの内層３の離脱が規制される。この際、複数の縦溝部７で構成された規制機能部５は、蛇腹状の壁構造となっているので、押し潰し力の作用により容易に潰れ変形して、内層３の一部を確実に挟持する。
【００４４】
接着層８で構成された規制機能部５の場合、図６（ｂ）に示すように、ボトル本体１の成形当初から、規制機能部５における内層３は外層２に接着固定され、これにより規制機能部５からの内層３の離脱が規制される。
【００４５】
口筒部９の、接着層８を避けた外層２部分に、外気を外層２と内層３の間に導入させる吸気孔１０（図１、図４、図７参照）を開設している。この吸気孔１０は、軸対称に一対設けるのが望ましい。これは、両規制機能部５で二つに区画されるそれぞれの胴部４部分に対して、外気を均等に導入可能とし、これにより胴部４における良好な潰れ現象を得ることが可能となる。
【００４６】
ボトル本体１の胴部４に巻き締め状に外装される外装体１１は、胴部４に対する巻き締めにより、規制機能部５の縦溝部７に対して押し潰し力を作用させる状態を維持できるものであればよい。それゆえ、胴部４に巻き締め状に外装されるラベルを利用するのが有効であり、特にラベルとしてシュリンクラベルを利用するのが、最も望ましい。すなわち、外装体１１としてシュリンクラベルを利用した場合は、胴部４に対するシュリンクラベルの組付けに際しての、シュリンクラベルの熱収縮に伴う胴部４に対する巻き締め力が、縦溝部７に対して押し潰し力として作用するので、きわめて好都合である。
【００４７】
また、複数の縦溝部７で構成される規制機能部５は、縦溝部７を押し潰した挟持状態（図３（ａ）参照）で、縦溝部７の一部が胴部４の外表面に突出することがないので、胴部４に対する外装体１１の巻き付き外装状態の外観を不体裁にするおそれがない。それゆえ、外装体１１としてラベルを利用した場合には、このラベルに施された表示を不都合なく表すことができる。
【００４８】
次に、成形されたボトル本体１における内層３の外層２に対する剥離処理、および剥離された内層３の戻し処理を順に説明する。
ブロー成形されたボトル本体１（図４〜図６参照）の胴部４に対して押圧力を作用させて（図７の矢印参照）、規制機能部５の縦溝部７を押し潰し変形（図２、図３、図８参照）させ、押し潰し変形した縦溝部７の挟持壁６により、この規制機能部５に位置した内層３部分を挟持（図３（ａ）参照）させる。
【００４９】
この内層３の一部を挟持壁６が挟持した状態のまま、内層３内をバキュームする等の手段により、内層３を潰れ変形（図３の点線図示、および図８参照）させて、内層３の外層２からの剥離処理を行なう。この内層３の剥離処理に引き続いて、潰れ変形している内層３内に空気を圧入する等して、この内層３に対して潰れ変形から戻し処理を施し、内層３を胴部４内面に略倣った戻り状態（図２および図３の一点鎖線図示参照）にする。
【００５０】
ボトル本体１内への内容物の注入充填は、内層３が戻り状態となっていると共に、胴部４に対して押圧力を作用させて、規制機能部５の縦溝部７により内層３の一部を挟持した状態を維持しながら実施される。これは、内容物の注入充填時に、規制機能部５の縦溝部７による内層３に対する挟持が無いと、内層３への内容物の充填動作に伴う変動力により、縦溝部７から内層３が離脱する不都合の発生を防止するためである。
【００５１】
なお、内容物のボトル本体１内からの吐出は、口筒部９に逆止弁を有する吐出キャップやポンプ等を組付け、胴部４を押圧して吐出キャップから吐出するとか、ポンプを操作してポンプのノズルから吐出する。また、縦溝部７で構成される規制機能部５は、割金型である一対のブロー金型からの離型動作に適合すべく、パーティングラインから外れた箇所、具体的にはパーティングラインに対して、中心角が９０度ずれた箇所設けるのが望ましい。また、吸気孔１０は、口筒部９以外の、外層２の適当な箇所に開設することが可能である。
【００５２】
以上、実施形態例に沿って本発明の構成とその作用効果を説明したが、本発明の実施の形態は、上記実施形態例に限定されるものではなく、ボトル本体１の胴部４は楕円筒状、長円筒状、さらには角筒状であってもよい。また、規制機能部５を構成する縦溝部７は、二つ以上設けて内層３の挟持箇所を増やして、その分、内層３に対する挟持力を強めるようにしてもよい。
【産業上の利用可能性】
【００５３】
本発明のブロー成形容器および内層の処理方法は、積層剥離ボトルにおける内層の適正で安全な動作を得ることができ、積層剥離ボトルとして広い分野での適用を可能とすることができる。
【符号の説明】
【００５４】
１  ；  ボトル本体
２  ；  外層
３  ；  内層
４  ；  胴部
５  ；  規制機能部
６  ；  挟持壁
７  ；  縦溝部
８  ；  接着層
９  ；  口筒部
１０；  吸気孔
１１；  外装体
【図１】
2014091530.tif 000003
【図２】
2014091530.tif 000004
【図３】
2014091530.tif 000005
【図４】
2014091530.tif 000006
【図５】
2014091530.tif 000007
【図６】
2014091530.tif 000008
【図７】
2014091530.tif 000009
【図８】
2014091530.tif 000010